(57)【要約】  本発明は、ページングメッセージの送受信方法、ネットワークデバイス、端末デバイス及びコンピュータ記憶媒体を開示し、この方法は、端末デバイスに対するページングがトリガされた場合に、前記端末デバイスの端末タイプに基づいて、前記端末デバイスに前記ページングメッセージをインタリーブして送信するかどうかを決定することを含む。
2021516884.tif 000002
【特許請求の範囲】
【請求項１】
端末デバイスに対するページングがトリガされた場合に、前記端末デバイスの端末タイプに基づいて、前記端末デバイスに前記ページングメッセージをインタリーブして送信するかどうかを決定することを含む
ことを特徴とするページングメッセージの送信方法。
【請求項２】
前記方法は、さらに、
コアネットワークから前記端末デバイスの端末タイプを取得することを含む
ことを特徴とする請求項１に記載のページングメッセージの送信方法。
【請求項３】
前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む
ことを特徴とする請求項１に記載のページングメッセージの送信方法。
【請求項４】
前記方法は、さらに、
ページングメッセージの送信周期又は送信ウィンドウを決定し、前記送信周期又は送信ウィンドウにいてＫ個のページングタイミングを設定し、Ｋが整数であることを含む
ことを特徴とする請求項３に記載のページングメッセージの送信方法。
【請求項５】
前記少なくとも１つのページングタイミングにおける少なくとも１つのビームにおいて前記端末デバイスに対するページングメッセージを送信することは、
１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行うことと、
前記モジュロ計算の結果に基づいて、送信ビームの識別子を決定し、決定された前記送信ビームにおいて前記ページングメッセージを送信することとを含む
ことを特徴とする請求項４に記載のページングメッセージの送信方法。
【請求項６】
ページングを受信する場合、前記端末デバイスの端末タイプに基づいて、ページングメッセージをインタリーブしてリッスンするかどうか決定することを含む
ことを特徴とするページングメッセージの受信方法。
【請求項７】
前記方法は、さらに、
コアネットワークに端末タイプを報告することを含む
ことを特徴とする請求項６に記載のページングメッセージの受信方法。
【請求項８】
前記端末デバイスの端末タイプに基づいて、ページングメッセージをインタリーブして受信するかどうかを決定することは、
前記端末デバイスの端末タイプが高遅延端末である場合、少なくとも１つのページングタイミングにおける少なくとも１つのビームにおいてネットワーク側からの前記端末デバイスに対するページングメッセージを受信することを含む
ことを特徴とする請求項６に記載のページングメッセージの受信方法。
【請求項９】
前記少なくとも１つのページングタイミングにおける少なくとも１つのビームにおいてネットワーク側からの前記端末デバイスに対するページングメッセージを受信することは、
前記送信周期又は送信ウィンドウのＫ個のページングタイミングにおいて、前記ページングメッセージをリッスンすることを含む
ことを特徴とする請求項８に記載のページングメッセージの受信方法。
【請求項１０】
前記方法は、さらに、
ブロードキャスト情報からページングメッセージの送信周期又は送信ウィンドウにおけるＫ個のページングタイミングを取得し、Ｋが整数であることを含む
ことを特徴とする請求項８に記載のページングメッセージの受信方法。
【請求項１１】
前記方法は、さらに、
前記端末デバイスが現在位置するビームに基づいて、ページングメッセージをリッスンする少なくとも１つのページングタイミングを決定することを含む
ことを特徴とする請求項１０に記載のページングメッセージの受信方法。
【請求項１２】
第１の処理ユニットを備えるネットワークデバイスであって、
第１の処理ユニット、端末デバイスに対するページングがトリガされた場合に、前記端末デバイスの端末タイプに基づいて、前記端末デバイスに前記ページングメッセージをインタリーブして送信するかどうかを決定するように構成される
ことを特徴とするネットワークデバイス。
【請求項１３】
前記ネットワークデバイスがさらに、第１の通信ユニットを含み、
前記第１の通信ユニットは、コアネットワークから前記端末デバイスの端末タイプを取得するように構成される
ことを特徴とする請求項１２に記載のネットワークデバイス。
【請求項１４】
第１の処理ユニットは、前記端末デバイスの端末タイプが高遅延端末である場合、少なくとも１つのページングタイミングにおける少なくとも１つのビームにおいて前記端末デバイスに対するページングメッセージを送信すると決定するように構成される
ことを特徴とする請求項１２に記載のネットワークデバイス。
【請求項１５】
第１の処理ユニットは、ページングメッセージの送信周期又は送信ウィンドウを決定し、前記送信周期又は送信ウィンドウにいてＫ個のページングタイミングを設定するように構成され、Ｋが整数である
ことを特徴とする請求項１４に記載のネットワークデバイス。
【請求項１６】
第１の処理ユニットは、１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行い、
前記モジュロ計算の結果に基づいて、送信ビームの識別子を決定し、決定された前記送信ビームにおいて前記ページングメッセージを送信するように構成される
ことを特徴とする請求項１５に記載のネットワークデバイス。
【請求項１７】
第２の処理ユニットを備える端末デバイスであって、
第２の処理ユニットは、ページングを受信する場合、前記端末デバイスの端末タイプに基づいて、ページングメッセージをインタリーブしてリッスンするかどうか決定するように構成される
ことを特徴とする端末デバイス。
【請求項１８】
前記端末デバイスがさらに第２の通信ユニットを含み、
前記第２の通信ユニットは、コアネットワークに端末タイプを報告するように構成される
ことを特徴とする請求項１７に記載の端末デバイス。
【請求項１９】
第２の処理ユニットは、前記端末デバイスの端末タイプが高遅延端末である場合、少なくとも１つのページングタイミングにおける少なくとも１つのビームにおいてネットワーク側からの前記端末デバイスに対するページングメッセージを受信するように構成される
ことを特徴とする請求項１７に記載の端末デバイス。
【請求項２０】
第２の処理ユニットは、前記送信周期又は送信ウィンドウのＫ個のページングタイミングにおいて、前記ページングメッセージをリッスンするように構成される
ことを特徴とする請求項１９に記載の端末デバイス。
【請求項２１】
前記端末デバイスがさらに第２の通信ユニットを含み、
前記第２の通信ユニットは、ブロードキャスト情報からページングメッセージの送信周期又は送信ウィンドウにおけるＫ個のページングタイミングを取得するように構成され、Ｋが整数である
ことを特徴とする請求項１９に記載の端末デバイス。
【請求項２２】
第２の処理ユニットは、現在位置するビームに基づいて、ページングメッセージをリッスンする少なくとも１つのページングタイミングを決定するように構成される
ことを特徴とする請求項２１に記載の端末デバイス。
【請求項２３】
プロセッサと、プロセッサで実行可能なコンピュータプログラムを格納するメモリとを備えるネットワークデバイスであって、
前記プロセッサは、前記コンピュータプログラムを実行することによって、請求項１〜５のいずれか１項に記載の方法のステップを実行するように構成されている
ことを特徴とするネットワークデバイス。
【請求項２４】
プロセッサと、プロセッサで実行可能なコンピュータプログラムを格納するメモリとを備える端末デバイスであって、
前記プロセッサは、前記コンピュータプログラムを実行することによって、請求項６〜１１のいずれか１項に記載の方法のステップを実行するように構成されている
ことを特徴とする端末デバイス。
【請求項２５】
実行されることにより、請求項１〜１１のいずれか１項に記載の方法のステップを実行するコンピュータ実行可能命令を記憶した
ことを特徴とするコンピュータ記憶媒体。
【発明の詳細な説明】
【技術分野】
【０００１】
本発明は、情報処理技術分野に関し、特に、ページングメッセージの送受信方法、ネットワークデバイス、端末デバイス及びコンピュータ記憶媒体に関する。
【背景技術】
【０００２】
５Ｇでは、セルがｂｅａｍ多ビームの形態を採用するので、ＵＥにページングするためには、ページングメッセージを各セルの各ビームで送信する必要がある。高周波で構成されたセルに対しては、ビームがより多く、例えば６４個があるので、１セル内で６４回のページング送信が行われる。これは、ネットワークのシグナリング負荷を増加させる。
【０００３】
将来の５Ｇネットワークでは、遅延許容型タイプの端末、すなわち、すぐにネットワークに接続しない端末が多数存在し、このような端末は、将来の５Ｇネットワーク、例えば、電力量計や水道メータなどのモノのインターネット端末が多数存在する可能性がある。このような端末は、従来の方式でページングを受信するため、シグナリングの負荷が重く、端末デバイスの消費電力が大きいという問題があった。
【発明の概要】
【０００４】
本発明の実施例は、上記の課題を解決するために、ページングメッセージの送受信方法、ネットワークデバイス、端末デバイス及びコンピュータ記憶媒体を提供する。
【０００５】
本発明の実施例は、ページングメッセージの送信方法を提供し、前記方法は、
端末デバイスに対するページングがトリガされた場合に、前記端末デバイスの端末タイプに基づいて、前記端末デバイスに前記ページングメッセージをインタリーブして送信するかどうかを決定することを含む。
【０００６】
本発明の実施例は、ページングメッセージの受信方法を提供し、前記方法は、
ページングを受信する場合、前記端末デバイスの端末タイプに基づいて、ページングメッセージをインタリーブしてリッスンするかどうか決定することを含む。
【０００７】
本発明の実施例は、第１の処理ユニットを備えるネットワークデバイスを提供し、
第１の処理ユニットは、端末デバイスに対するページングがトリガされた場合に、前記端末デバイスの端末タイプに基づいて、前記端末デバイスに前記ページングメッセージをインタリーブして送信するかどうかを決定するように構成される。
【０００８】
本発明の実施例は、第２の処理ユニットを備える端末デバイスを提供し、
前記第２の処理ユニットは、ページングを受信する場合、前記端末デバイスの端末タイプに基づいて、ページングメッセージをインタリーブしてリッスンするかどうか決定するように構成される。
【０００９】
本発明の実施例は、プロセッサと、プロセッサで実行可能なコンピュータプログラムを格納するメモリとを備えるネットワークデバイスを提供し、
前記プロセッサは、前記コンピュータプログラムを実行することによって、上記の方法のステップを実行するように構成されている。
【００１０】
本発明の実施例は、プロセッサと、プロセッサで実行可能なコンピュータプログラムを格納するメモリとを備える端末デバイスを提供し、
前記プロセッサは、前記コンピュータプログラムを実行することによって、上記の方法のステップを実行するように構成されている。
【００１１】
本発明の実施例は、実行されることにより、上記方法のステップを実行するコンピュータ実行可能命令を記憶したコンピュータ記憶媒体を提供する。
【００１２】
本発明の実施例の技術案は、特定の端末タイプの端末デバイスに対するページングメッセージを送信する時に、インタリーブページングメッセージ送信方式を採用することができる。これにより、ページングメッセージの送信密度を低下させ、システムシグナリングロードを減少させ、ページングメッセージの受信による端末デバイスの消費電力を低減することができる。
【図面の簡単な説明】
【００１３】
【図１】本発明の実施例におけるページングメッセージの送信方法のフローチャートである。
【図２】本発明の実施例におけるページングメッセージの受信方法のフローチャートである。
【図３】本発明の実施例におけるネットワークデバイスの構成図である。
【図４】本発明の実施例における端末デバイスの構成図である。
【図５】本発明の実施例におけるのハードウェアアーキテクチャの概略図である。
【発明を実施するための形態】
【００１４】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００１５】
実施例一
本発明の実施例は、ページングメッセージの送信方法を提供し、
端末デバイスに対するページングがトリガされた場合に、前記端末デバイスの端末タイプに基づいて、前記端末デバイスに前記ページングメッセージをインタリーブして送信するかどうかを決定することを含む。
【００１６】
図１に示すように、この実施例の方法は、以下のステップを含み、
ステップ１０１において、コアネットワークから前記端末デバイスの端末タイプを取得し、
ステップ１０２において、端末デバイスに対するページングがトリガされた場合に、前記端末デバイスの端末タイプに基づいて、前記端末デバイスに前記ページングメッセージをインタリーブして送信するかどうかを決定する。
【００１７】
さらに、前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む。
【００１８】
なお、この実施例に係る技術案は、ネットワーク側、具体的にはネットワーク側の基地局に適用することができる。
【００１９】
ここで、前記端末デバイスの端末タイプは、前記端末デバイスによってコアネットワークに報告可能であり、そして、この端末のページングが必要な場合に、コアネットワークから端末デバイスの端末タイプを取得する。すなわち、端末に対して分類され、端末タイプを定義し、ＵＥが端末タイプをネットワークに報告し、端末のページングがトリガされる場合、ネットワーク側が端末タイプを基地局に送信し、基地局が端末タイプに基づいてページングメッセージの構築および送信を行う。
【００２０】
さらに、前記端末デバイスの端末タイプは、高遅延端末及び低遅延端末を含み、ここで、高遅延端末は、物のインターネット端末と理解され、物のインターネット端末は、通話系端末と異なり、ネットワーク側からの情報を長時間やリアルタイム取得する必要がないので、このような端末のページング回数を適切に減らすことができる。もちろん、端末タイプは、遅延許容型端末、あるいは、物のインターネット端末などに分類することもできる。
【００２１】
基地局は、コアネットワークから当該端末に対するページングメッセージを受信し、ここで、このページングメッセージは、上記端末タイプが含まれる。
【００２２】
また、上記構成において、前記ページングメッセージをインタリーブして送信する方式は、基地局が多ビーム動作において時分割でページングメッセージを送信するようにしてもよい。具体的に、前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む。
【００２３】
少なくとも１つのビームでページングメッセージを送信する前に、この実施例は、まず、ページングメッセージの送信周期又は送信ウィンドウを決定し、前記送信周期又は送信ウィンドウにいてＫ個のページングタイミングを設定する必要があり、Ｋが整数である。ここで、ページングを送信する周期又はウィンドウは定義され、ウィンドウ内にＫ個のＰＯ周期を含む。ここで、ページングの送信周期又は送信ウィンドウの長さは実際の状況に応じて設定され得る。
【００２４】
前記少なくとも１つのページングタイミングにおける少なくとも１つのビームにおいて前記端末デバイスに対するページングメッセージを送信することは、
１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行うことと、
前記モジュロ計算の結果に基づいて、送信ビームの識別子を決定し、決定された前記送信ビームにおいて前記ページングメッセージを送信することとを含む。
【００２５】
ページングタイミングが２つであると仮定すると、最初のページングタイミングＰＯではｂｅａｍ ｉｄ ｍｏｄ２ = ０又は１のｂｅａｍでのみ当該ページングメッセージが送信され、次のページングタイミングＰＯではｂｅａｍ ｉｄ ｍｏｄ２ = １又は０のｂｅａｍでのみ当該ページングメッセージが送信される。なお、前記２つのページングタイミング内において、異なるページングタイミング内で対応する送信ビームの識別子は、同一であっても異なっていてもよい。
【００２６】
具体的には、ウィンドウ内の最初のＰＯ上のｂｅａｍ ｉｄ ｍｏｄ Ｋ = ０のｂｅａｍにページングメッセージを送信し、次のＰＯ上のｂｅａｍ ｉｄ ｍｏｄ Ｋ = １のｂｅａｍにページングメッセージを送信し、Ｋ個のページングタイミングＰＯ上までｂｅａｍ ｉｄ ｍｏｄ Ｋ = Ｋ-１のｂｅａｍにページングメッセージを送信することができる。
【００２７】
例えば、現在のページングウィンドウ内には、２個のＰＯが存在し、各ＰＯには複数のビームが存在し得る。ＰＯ１にビームが３つある場合、１ｍｏｄ２ = １、２ｍｏｄ２ = ０、３ｍｏｄ２ = １であり、モジュロ計算結果= ０のビーム上でページングメッセージを送信するように決定し、つまり、ビーム識別子= ２のビーム上で送信され、ＰＯ２ではビームが４本あれば、モジュロ計算結果= １のいずれかのビームでページングメッセージを送信するように定義でき、すなわちビーム１、３のいずれかのビームで送信することができる。
【００２８】
このように、上記の構成を採用することにより、特定の端末タイプの端末デバイスに対してページングメッセージを送信する際に、ページングメッセージのインタリーブ送信方式を採用することができる。これにより、ページングメッセージの送信密度を低下させ、システムシグナリングロードを減少させ、ページングメッセージの受信による端末デバイスの消費電力を低減することができる。
【００２９】
実施例二
本発明の実施例は、ページングメッセージの受信方法を提供し、
ページングを受信する場合、前記端末デバイスの端末タイプに基づいて、ページングメッセージをインタリーブしてリッスンするかどうか決定することを含む。
【００３０】
図２に示すように、この実施例は、以下のステップを含み、
ステップ２０１において、コアネットワークに端末タイプを報告し、
ステップ２０２において、ページングを受信する場合、前記端末デバイスの端末タイプに基づいて、ページングメッセージをインタリーブしてリッスンするかどうか決定する。
【００３１】
前記端末デバイスの端末タイプに基づいて、ページングメッセージをインタリーブして受信するかどうかを決定することは、
前記端末デバイスの端末タイプが高遅延端末である場合、少なくとも１つのページングタイミングにおける少なくとも１つのビームにおいてネットワーク側からの前記端末デバイスに対するページングメッセージを受信することを含む。
【００３２】
なお、この実施例に係る技術案が端末デバイスに応用される。
【００３３】
ここで、前記端末デバイスの端末タイプは、前記端末デバイスによってコアネットワークに報告可能であり、そして、この端末のページングが必要な場合に、コアネットワークから端末デバイスの端末タイプを取得する。すなわち、端末に対して分類され、端末タイプを定義し、ＵＥが端末タイプをネットワークに報告し、端末のページングがトリガされる場合、ネットワーク側が端末タイプを基地局に送信し、基地局が端末タイプに基づいてページングメッセージの構築および送信を行う。
【００３４】
さらに、前記端末デバイスの端末タイプは、高遅延端末及び低遅延端末を含み、ここで、高遅延端末は、物のインターネット端末と理解され、物のインターネット端末は、通話系端末と異なり、ネットワーク側からの情報を長時間やリアルタイム取得する必要がないので、このような端末のページング回数を適切に減らすことができる。もちろん、端末タイプは、遅延許容型端末、あるいは、物のインターネット端末などに分類することもできる。
【００３５】
基地局は、コアネットワークから当該端末に対するページングメッセージを受信し、ここで、このページングメッセージは、上記端末タイプが含まれる。
【００３６】
また、上記構成において、前記ページングメッセージをインタリーブして送信する方式は、基地局が多ビーム動作において時分割でページングメッセージを送信するようにしてもよい。具体的に、前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む。
【００３７】
少なくとも１つのビームでページングメッセージを送信する前に、この実施例は、まず、ページングメッセージの送信周期又は送信ウィンドウを決定し、前記送信周期又は送信ウィンドウにいてＫ個のページングタイミングを設定する必要があり、Ｋが整数である。ここで、ページングを送信する周期又はウィンドウは定義され、ウィンドウ内にＫ個のＰＯ周期を含む。ここで、ページングの送信周期又は送信ウィンドウの長さは実際の状況に応じて設定され得る。
【００３８】
そして、基地局は、１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行い、前記モジュロ計算の結果に基づいて、送信ビームの識別子を決定し、決定された前記送信ビームにおいて前記ページングメッセージを送信する。
【００３９】
ページングタイミングが２つであると仮定すると、最初のページングタイミングＰＯではｂｅａｍ ｉｄ ｍｏｄ２ = ０又は１のｂｅａｍでのみ当該ページングメッセージが送信され、次のページングタイミングＰＯではｂｅａｍ ｉｄ ｍｏｄ２ = １又は０のｂｅａｍでのみ当該ページングメッセージが送信される。なお、前記２つのページングタイミング内において、異なるページングタイミング内で対応する送信ビームの識別子は、同一であっても異なっていてもよい。
【００４０】
具体的には、ウィンドウ内の最初のＰＯ上のｂｅａｍ ｉｄ ｍｏｄ Ｋ = ０のｂｅａｍにページングメッセージを送信し、次のＰＯ上のｂｅａｍ ｉｄ ｍｏｄ Ｋ = １のｂｅａｍにページングメッセージを送信し、Ｋ個のページングタイミングＰＯ上までｂｅａｍ ｉｄ ｍｏｄ Ｋ = Ｋ-１のｂｅａｍにページングメッセージを送信することができる。
【００４１】
例えば、現在のページングウィンドウ内には、２個のＰＯが存在し、各ＰＯには複数のビームが存在し得る。ＰＯ１にビームが３つある場合、１ｍｏｄ２ = １、２ｍｏｄ２ = ０、３ｍｏｄ２ = １であり、モジュロ計算結果= ０のビーム上でページングメッセージを送信するように決定し、つまり、ビーム識別子= ２のビーム上で送信され、ＰＯ２ではビームが４本あれば、モジュロ計算結果= １のいずれかのビームでページングメッセージを送信するように定義でき、すなわちビーム１、３のいずれかのビームで送信することができる。
【００４２】
以上の説明の上で、この実施例では、端末デバイスがページングメッセージを受信する方法を中心に説明しており、その際に２つの処理方法が考えられる。
【００４３】
処理方式１として、前記端末デバイスの端末タイプが高遅延端末である場合、少なくとも１つのページングタイミングにおける少なくとも１つのビームにおいてネットワーク側からの前記端末デバイスに対するページングメッセージを受信する。
【００４４】
ここで、前記少なくとも１つのページングタイミングにおける少なくとも１つのビームにおいてネットワーク側からの前記端末デバイスに対するページングメッセージを受信することは、
前記送信周期又は送信ウィンドウのＫ個のページングタイミングにおいて、前記ページングメッセージをリッスンすることを含む。
【００４５】
すなわち、端末デバイスは、高遅延端末であるか低遅延端末であるかに関わらず、各送信周期又は送信ウィンドウにおける全てのページングタイミングの全てのビームにおいて、自端末に対するページングメッセージを受信するまでページングメッセージをリスニングする。
【００４６】
処理方式２、
前記方法は、さらに、ブロードキャスト情報からページングメッセージの送信周期又は送信ウィンドウにおけるＫ個のページングタイミングを取得し、Ｋが整数であることを含む。
【００４７】
この場合、予め定められた計算方式に基づいて、存在する可能性があるページングタイミング及び自身に対する可能性のある送信ビームからページングメッセージをリッスンすることができる。
【００４８】
具体的に、前記端末デバイスが現在位置するビームに基づいて、ページングメッセージをリッスンする少なくとも１つのページングタイミングを決定することを含む。
【００４９】
この方式では、端末デバイスがページングメッセージをいくつかのページングタイミングにおいてのみ受信することを可能にし、すなわち、ＵＥの省電力化のために、メッセージのブロードキャストでkをブロードキャストし、次いで、ＵＥは、現在位置するｂｅａｍに基づいて、何番目のＰＯでページングを送受信するかを決定する。
【００５０】
この算出方法としては、ページングタイミングＰＯの数Ｋに基づいてビーム識別子ｍｏｄ Ｋを算出してデータ値を取得し、このデータ値が予め設定された値であるか否かを判断してページングを受信するページングタイミングを決定するようにしてもよい。
【００５１】
例えば、現在位置するビームがビーム１であり、ページングタイミングＰＯの数が３であり、１ｍｏｄ３ = １であり、ビーム識別子ｍｏｄ Ｋで得られた計算結果を用いてページングメッセージを送信するビームを決定することが設定され、ＰＯ１では、計算結果= １の送信ビーム上でページングメッセージを送信することが予め設定され、すなわち、ＰＯ１に４つのビームが存在する場合、ビーム識別子１、４の送信ビーム上で送信することができ、ＰＯ２では、計算結果の識別子= ２、すなわち、ＰＯ２では、ビーム識別子が２である送信ビームで送信され、ＰＯ３で計算結果の識別子= ０、すなわちＰＯ３で送信ビームの識別子が４となる。このように、端末デバイスが現在位置しているビームの識別が１である場合、第１のページングメッセージタイミングＰＯでページングメッセージをリッスンする必要がある。なお、上記は単なる例であり、実際にはより多くのＰＯが存在し、各ＰＯにより多くのビームが存在し得るが、本実施例は網羅的ではない。
【００５２】
このように、上記の構成を採用することにより、特定の端末タイプの端末デバイスに対してページングメッセージを送信する際に、ページングメッセージのインタリーブ送信方式を採用することができる。これにより、ページングメッセージの送信密度を低下させ、システムシグナリングロードを減少させ、ページングメッセージの受信による端末デバイスの消費電力を低減することができる。
【００５３】
実施例三
本発明の実施例は、ネットワークデバイスを提供し、図３に示すように、第１の処理ユニット３１を含み、
第１の処理ユニット３１は、端末デバイスに対するページングがトリガされた場合に、前記端末デバイスの端末タイプに基づいて、前記端末デバイスに前記ページングメッセージをインタリーブして送信するかどうかを決定するように構成される。
【００５４】
前記ネットワークデバイスがさらに、第１の通信ユニット３２を含み、
第１の通信ユニット３２は、コアネットワークから前記端末デバイスの端末タイプを取得するように構成される。
【００５５】
さらに、第１の処理ユニット３１は、前記端末デバイスの端末タイプが高遅延端末である場合、少なくとも１つのページングタイミングにおける少なくとも１つのビームにおいて前記端末デバイスに対するページングメッセージを送信するように構成される。
【００５６】
なお、この実施例に係る技術案がネットワーク側に応用され、具体的に、ネットワーク側の基地局に応用される。
【００５７】
ここで、前記端末デバイスの端末タイプは、前記端末デバイスによってコアネットワークに報告可能であり、そして、この端末のページングが必要な場合に、コアネットワークから端末デバイスの端末タイプを取得する。すなわち、端末に対して分類され、端末タイプを定義し、ＵＥが端末タイプをネットワークに報告し、端末のページングがトリガされる場合、ネットワーク側が端末タイプを基地局に送信し、基地局が端末タイプに基づいてページングメッセージの構築および送信を行う。
【００５８】
さらに、前記端末デバイスの端末タイプは、高遅延端末及び低遅延端末を含み、ここで、高遅延端末は、物のインターネット端末と理解され、物のインターネット端末は、通話系端末と異なり、ネットワーク側からの情報を長時間やリアルタイム取得する必要がないので、このような端末のページング回数を適切に減らすことができる。もちろん、端末タイプは、遅延許容型端末、あるいは、物のインターネット端末などに分類することもできる。
【００５９】
基地局は、コアネットワークから当該端末に対するページングメッセージを受信し、ここで、このページングメッセージは、上記端末タイプが含まれる。
【００６０】
また、上記構成において、前記ページングメッセージをインタリーブして送信する方式は、基地局が多ビーム動作において時分割でページングメッセージを送信するようにしてもよい。具体的に、第１の処理ユニット３１は、前記端末デバイスの端末タイプが高遅延端末である場合、少なくとも１つのページングタイミングにおける少なくとも１つのビームにおいて前記端末デバイスに対するページングメッセージを送信するように構成される。
【００６１】
少なくとも１つのビームでページングメッセージを送信する前に、この実施例は、まず、ページングメッセージの送信周期又は送信ウィンドウを決定し、前記送信周期又は送信ウィンドウにいてＫ個のページングタイミングを設定する必要があり、Ｋが整数である。ここで、ページングを送信する周期又はウィンドウは定義され、ウィンドウ内にＫ個のＰＯ周期を含む。ここで、ページングの送信周期又は送信ウィンドウの長さは実際の状況に応じて設定され得る。
【００６２】
前記第１の処理ユニット３１は、１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行い、
前記モジュロ計算の結果に基づいて、送信ビームの識別子を決定し、決定された前記送信ビームにおいて前記ページングメッセージを送信するように構成される。
【００６３】
ページングタイミングが２つであると仮定すると、最初のページングタイミングＰＯではｂｅａｍ ｉｄ ｍｏｄ２ = ０又は１のｂｅａｍでのみ当該ページングメッセージが送信され、次のページングタイミングＰＯではｂｅａｍ ｉｄ ｍｏｄ２ = １又は０のｂｅａｍでのみ当該ページングメッセージが送信される。なお、前記２つのページングタイミング内において、異なるページングタイミング内で対応する送信ビームの識別子は、同一であっても異なっていてもよい。
【００６４】
具体的には、ウィンドウ内の最初のＰＯ上のｂｅａｍ ｉｄ ｍｏｄ Ｋ = ０のｂｅａｍにページングメッセージを送信し、次のＰＯ上のｂｅａｍ ｉｄ ｍｏｄ Ｋ = １のｂｅａｍにページングメッセージを送信し、Ｋ個のページングタイミングＰＯ上までｂｅａｍ ｉｄ ｍｏｄ Ｋ = Ｋ-１のｂｅａｍにページングメッセージを送信することができる。
【００６５】
例えば、現在のページングウィンドウ内には、２個のＰＯが存在し、各ＰＯには複数のビームが存在し得る。ＰＯ１にビームが３つある場合、１ｍｏｄ２ = １、２ｍｏｄ２ = ０、３ｍｏｄ２ = １であり、モジュロ計算結果= ０のビーム上でページングメッセージを送信するように決定し、つまり、ビーム識別子= ２のビーム上で送信され、ＰＯ２ではビームが４本あれば、モジュロ計算結果= １のいずれかのビームでページングメッセージを送信するように定義でき、すなわちビーム１、３のいずれかのビームで送信することができる。
【００６６】
このように、上記の構成を採用することにより、特定の端末タイプの端末デバイスに対してページングメッセージを送信する際に、ページングメッセージのインタリーブ送信方式を採用することができる。これにより、ページングメッセージの送信密度を低下させ、システムシグナリングロードを減少させ、ページングメッセージの受信による端末デバイスの消費電力を低減することができる。
【００６７】
実施例四
本発明の実施例は、端末デバイスを提供し、図４に示すように、第２の処理ユニット４１を含み、
第２の処理ユニット４１は、ページングを受信する場合、前記端末デバイスの端末タイプに基づいて、ページングメッセージをインタリーブしてリッスンするかどうか決定するように構成される。
【００６８】
前記端末デバイスがさらに第２の通信ユニット４２を含み、
第２の通信ユニット４２は、コアネットワークに端末タイプを報告するように構成される。
【００６９】
第２の処理ユニット４１は、前記端末デバイスの端末タイプが高遅延端末である場合、少なくとも１つのページングタイミングにおける少なくとも１つのビームにおいてネットワーク側からの前記端末デバイスに対するページングメッセージを受信するように構成される。
【００７０】
なお、この実施例に係る技術案が端末デバイスに応用される。
【００７１】
ここで、前記端末デバイスの端末タイプは、前記端末デバイスによってコアネットワークに報告可能であり、そして、この端末のページングが必要な場合に、コアネットワークから端末デバイスの端末タイプを取得する。すなわち、端末に対して分類され、端末タイプを定義し、ＵＥが端末タイプをネットワークに報告し、端末のページングがトリガされる場合、ネットワーク側が端末タイプを基地局に送信し、基地局が端末タイプに基づいてページングメッセージの構築および送信を行う。
【００７２】
さらに、前記端末デバイスの端末タイプは、高遅延端末及び低遅延端末を含み、ここで、高遅延端末は、物のインターネット端末と理解され、物のインターネット端末は、通話系端末と異なり、ネットワーク側からの情報を長時間やリアルタイム取得する必要がないので、このような端末のページング回数を適切に減らすことができる。もちろん、端末タイプは、遅延許容型端末、あるいは、物のインターネット端末などに分類することもできる。
【００７３】
基地局は、コアネットワークから当該端末に対するページングメッセージを受信し、ここで、このページングメッセージは、上記端末タイプが含まれる。
【００７４】
また、上記構成において、前記ページングメッセージをインタリーブして送信する方式は、基地局が多ビーム動作において時分割でページングメッセージを送信するようにしてもよい。具体的に、前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む。
【００７５】
少なくとも１つのビームでページングメッセージを送信する前に、この実施例は、まず、ページングメッセージの送信周期又は送信ウィンドウを決定し、前記送信周期又は送信ウィンドウにいてＫ個のページングタイミングを設定する必要があり、Ｋが整数である。ここで、ページングを送信する周期又はウィンドウは定義され、ウィンドウ内にＫ個のＰＯ周期を含む。ここで、ページングの送信周期又は送信ウィンドウの長さは実際の状況に応じて設定され得る。
【００７６】
そして、基地局は、１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行い、前記モジュロ計算の結果に基づいて、送信ビームの識別子を決定し、決定された前記送信ビームにおいて前記ページングメッセージを送信する。
【００７７】
ページングタイミングが２つであると仮定すると、最初のページングタイミングＰＯではｂｅａｍ ｉｄ ｍｏｄ２ = ０又は１のｂｅａｍでのみ当該ページングメッセージが送信され、次のページングタイミングＰＯではｂｅａｍ ｉｄ ｍｏｄ２ = １又は０のｂｅａｍでのみ当該ページングメッセージが送信される。なお、前記２つのページングタイミング内において、異なるページングタイミング内で対応する送信ビームの識別子は、同一であっても異なっていてもよい。
【００７８】
具体的には、ウィンドウ内の最初のＰＯ上のｂｅａｍ ｉｄ ｍｏｄ Ｋ = ０のｂｅａｍにページングメッセージを送信し、次のＰＯ上のｂｅａｍ ｉｄ ｍｏｄ Ｋ = １のｂｅａｍにページングメッセージを送信し、Ｋ個のページングタイミングＰＯ上までｂｅａｍ ｉｄ ｍｏｄ Ｋ = Ｋ-１のｂｅａｍにページングメッセージを送信することができる。
【００７９】
例えば、現在のページングウィンドウ内には、２個のＰＯが存在し、各ＰＯには複数のビームが存在し得る。ＰＯ１にビームが３つある場合、１ｍｏｄ２ = １、２ｍｏｄ２ = ０、３ｍｏｄ２ = １であり、モジュロ計算結果= ０のビーム上でページングメッセージを送信するように決定し、つまり、ビーム識別子= ２のビーム上で送信され、ＰＯ２ではビームが４本あれば、モジュロ計算結果= １のいずれかのビームでページングメッセージを送信するように定義でき、すなわちビーム１、３のいずれかのビームで送信することができる。
【００８０】
以上の説明の上で、この実施例では、端末デバイスがページングメッセージを受信する方法を中心に説明しており、その際に２つの処理方法が考えられる。
【００８１】
処理方式１として、第２の処理ユニット４１は、前記端末デバイスの端末タイプが高遅延端末である場合、少なくとも１つのページングタイミングにおける少なくとも１つのビームにおいてネットワーク側からの前記端末デバイスに対するページングメッセージを受信するように構成される。
【００８２】
ここで、前記第２の処理ユニット４１は、前記送信周期又は送信ウィンドウのＫ個のページングタイミングにおいて、前記ページングメッセージをリッスンするように構成される。
【００８３】
すなわち、端末デバイスは、高遅延端末であるか低遅延端末であるかに関わらず、各送信周期又は送信ウィンドウにおける全てのページングタイミングの全てのビームにおいて、自端末に対するページングメッセージを受信するまでページングメッセージをリスニングする。
【００８４】
処理方式２
前記第２の通信ユニット４２は、ブロードキャスト情報からページングメッセージの送信周期又は送信ウィンドウにおけるＫ個のページングタイミングを取得するように構成され、Ｋが整数である。
【００８５】
この場合、予め定められた計算方式に基づいて、存在する可能性があるページングタイミング及び自身に対する可能性のある送信ビームからページングメッセージをリッスンすることができる。
【００８６】
具体的に、第２の処理ユニット４１は、現在位置するビームに基づいて、ページングメッセージをリッスンする少なくとも１つのページングタイミングを決定するように構成される。
【００８７】
この方式では、端末デバイスがページングメッセージをいくつかのページングタイミングにおいてのみ受信することを可能にし、すなわち、ＵＥの省電力化のために、メッセージのブロードキャストでkをブロードキャストし、次いで、ＵＥは、現在位置するｂｅａｍに基づいて、何番目のＰＯでページングを送受信するかを決定する。
【００８８】
この算出方法としては、ページングタイミングＰＯの数Ｋに基づいてビーム識別子ｍｏｄ Ｋを算出してデータ値を取得し、このデータ値が予め設定された値であるか否かを判断してページングを受信するページングタイミングを決定するようにしてもよい。
【００８９】
例えば、現在位置するビームがビーム１であり、ページングタイミングＰＯの数が３であり、１ｍｏｄ３ = １であり、ビーム識別子ｍｏｄ Ｋで得られた計算結果を用いてページングメッセージを送信するビームを決定することが設定され、ＰＯ１では、計算結果= １の送信ビーム上でページングメッセージを送信することが予め設定され、すなわち、ＰＯ１に４つのビームが存在する場合、ビーム識別子１、４の送信ビーム上で送信することができ、ＰＯ２では、計算結果の識別子= ２、すなわち、ＰＯ２では、ビーム識別子が２である送信ビームで送信され、ＰＯ３で計算結果の識別子= ０、すなわちＰＯ３で送信ビームの識別子が４となる。このように、端末デバイスが現在位置しているビームの識別が１である場合、第１のページングメッセージタイミングＰＯでページングメッセージをリッスンする必要がある。なお、上記は単なる例であり、実際にはより多くのＰＯが存在し、各ＰＯにより多くのビームが存在し得るが、本実施例は網羅的ではない。
【００９０】
このように、上記の構成を採用することにより、特定の端末タイプの端末デバイスに対してページングメッセージを送信する際に、ページングメッセージのインタリーブ送信方式を採用することができる。これにより、ページングメッセージの送信密度を低下させ、システムシグナリングロードを減少させ、ページングメッセージの受信による端末デバイスの消費電力を低減することができる。
【００９１】
本発明の実施例は、図５に示すように、少なくとも１つのプロセッサ５１と、メモリ５２と、少なくとも１つのネットワークインタフェース５３とを含むネットワークデバイス又は端末デバイスのハードウェア構成アーキテクチャをさらに提供する。各構成要素は、バスシステム５４によって互いに結合される。バスシステム５４は、これらの構成要素間の接続通信を可能にするために使用されることが理解される。バスシステム５４は、データバスの他に、電源バス、制御バスおよびステータス信号バスを含んでいる。ただし、説明を分かりやすくするために、図５では、各種のバスをバスシステム５４と表記している。
【００９２】
なお、本発明の実施例におけるメモリ５２は、揮発性メモリであっても不揮発性メモリであってもよく、揮発性メモリと不揮発性メモリの両方を含んでもよい。
【００９３】
いくつかの実施例において、メモリ５２は、実行可能モジュール若しくはデータ構造、又はそれらのサブセット、又はそれらの拡張セットの要素であるオペレーティングシステム５２１およびアプリケーションプログラム５２２を記憶する。
【００９４】
ここで、前記プロセッサ５１は、前記実施例１又は２の方法ステップを処理することができるように構成され、ここでその説明が省略される。
【００９５】
本発明の実施例は、実行されると、前述の実施例１又は２の方法ステップを実施するコンピュータ実行可能命令を記憶したコンピュータ記憶媒体を提供する。 
本発明の実施例に係る装置は、ソフトウェア機能モジュールの形態で実現され、独立した製品として販売または使用される場合、一つのコンピュータ読み取り可能な記録媒体に格納されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ，Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【００９６】
従って、本発明の実施例は、本発明の実施例によるデータスケジューリング方法を実行するように構成されたコンピュータプログラムを格納するコンピュータ記憶媒体をさらに提供する。
【００９７】
以上、本発明の好ましい実施例について説明したが、本発明はこれらの実施例に限定されず、その要旨の範囲内で種々の変形及び変更が可能である。
【図１】
2021516884.tif 000003
【図２】
2021516884.tif 000004
【図３】
2021516884.tif 000005
【図４】
2021516884.tif 000006
【図５】
2021516884.tif 000007
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
端末デバイスに対するページングがトリガされた場合に、前記端末デバイスの端末タイプに基づいて、前記端末デバイスに前記ページングメッセージをインタリーブして送信するかどうかを決定することを含む
ことを特徴とするページングメッセージの送信方法。
【請求項２】
前記方法は、さらに、
コアネットワークから前記端末デバイスの端末タイプを取得することを含む
ことを特徴とする請求項１に記載のページングメッセージの送信方法。
【請求項３】
前記端末デバイスの端末タイプに基づいて、前記端末デバイスに前記ページングメッセージをインタリーブして送信するかどうかを決定することは、
前記端末デバイスの端末タイプが高遅延端末である場合、少なくとも１つのページングタイミングにおける少なくとも１つのビームにおいて前記端末デバイスに対するページングメッセージを送信することを含む
ことを特徴とする請求項１に記載のページングメッセージの送信方法。
【請求項４】
前記方法は、さらに、
ページングメッセージの送信周期又は送信ウィンドウを決定し、前記送信周期又は送信ウィンドウにいてＫ個のページングタイミングを設定し、Ｋが整数であることを含む
ことを特徴とする請求項３に記載のページングメッセージの送信方法。
【請求項５】
前記少なくとも１つのページングタイミングにおける少なくとも１つのビームにおいて前記端末デバイスに対するページングメッセージを送信することは、
１つの送信周期又は送信ウィンドウに設定されたＫ個のページングタイミングのうちの少なくとも一部のページングタイミングにおいて、ページングタイミングに含まれる少なくとも１つのビームの識別子とＫに基づいてモジュロ計算を行うことと、
前記モジュロ計算の結果に基づいて、送信ビームの識別子を決定し、決定された前記送信ビームにおいて前記ページングメッセージを送信することとを含む
ことを特徴とする請求項４に記載のページングメッセージの送信方法。
【請求項６】
ページングを受信する場合、前記端末デバイスの端末タイプに基づいて、ページングメッセージをインタリーブしてリッスンするかどうか決定することを含む
ことを特徴とするページングメッセージの受信方法。
【請求項７】
前記方法は、さらに、
コアネットワークに端末タイプを報告することを含む
ことを特徴とする請求項６に記載のページングメッセージの受信方法。
【請求項８】
前記端末デバイスの端末タイプに基づいて、ページングメッセージをインタリーブして受信するかどうかを決定することは、
前記端末デバイスの端末タイプが高遅延端末である場合、少なくとも１つのページングタイミングにおける少なくとも１つのビームにおいてネットワーク側からの前記端末デバイスに対するページングメッセージを受信することを含む
ことを特徴とする請求項６に記載のページングメッセージの受信方法。
【請求項９】
前記少なくとも１つのページングタイミングにおける少なくとも１つのビームにおいてネットワーク側からの前記端末デバイスに対するページングメッセージを受信することは、
前記送信周期又は送信ウィンドウのＫ個のページングタイミングにおいて、前記ページングメッセージをリッスンすることを含む
ことを特徴とする請求項８に記載のページングメッセージの受信方法。
【請求項１０】
前記方法は、さらに、
ブロードキャスト情報からページングメッセージの送信周期又は送信ウィンドウにおけるＫ個のページングタイミングを取得し、Ｋが整数であることを含む
ことを特徴とする請求項８に記載のページングメッセージの受信方法。
【請求項１１】
前記方法は、さらに、
前記端末デバイスが現在位置するビームに基づいて、ページングメッセージをリッスンする少なくとも１つのページングタイミングを決定することを含む
ことを特徴とする請求項１０に記載のページングメッセージの受信方法。
【請求項１２】
請求項１〜５のいずれか１項に記載の方法を実行する
ことを特徴とするネットワークデバイス。
【請求項１３】
請求項６〜１１のいずれか１項に記載の方法を実行する
ことを特徴とする端末デバイス。
【請求項１４】
実行されることにより、請求項１〜１１のいずれか１項に記載の方法のステップを実行するコンピュータ実行可能命令を記憶した
ことを特徴とするコンピュータ記憶媒体。
【国際調査報告】
2021516884.tif 000008
2021516884.tif 000009
2021516884.tif 000010
2021516884.tif 000011